(57)【要約】【課題】焦点サイズを任意に制御すること。【解決手段】実施形態に係るＸ線コンピュータ断層撮影装置は、Ｘ線管、高電圧電源及び焦点サイズ制御回路を有する。Ｘ線管は、電子を放出する陰極と、前記陰極からの電子を受けてＸ線を発生する陽極と、前記陰極からの電子を偏向する偏向器とを有する。高電圧電源路は、前記陰極と前記陽極との間に印加される管電圧を発生する。焦点サイズ制御回路は、前記高電圧電源により管電圧が印加されている期間において前記陽極に所定のサイズの焦点を形成するために、前記管電圧の管電圧値と前記所定のサイズとに基づく偏向電圧値の偏向電圧を前記偏向器に印加することにより、前記陽極に形成される焦点のサイズを制御する。【選択図】      図２
2018126506.tif 000002
【特許請求の範囲】
【請求項１】
電子を放出する陰極と、前記陰極からの電子を受けてＸ線を発生する陽極と、前記陰極からの電子を偏向する偏向器とを有するＸ線管と、
前記陰極と前記陽極との間に印加される管電圧を発生する高電圧電源と、
前記高電圧電源により前記管電圧が印加されている期間において前記陽極に所定のサイズの焦点を形成するために、前記管電圧の管電圧値と前記所定のサイズとに基づく偏向電圧値の偏向電圧を前記偏向器に印加することにより、前記陽極に形成される焦点のサイズを制御する焦点サイズ制御回路と、
を具備するＸ線コンピュータ断層撮影装置。
【請求項２】
複数の管電圧値毎に、前記所定のサイズの焦点を形成するために前記偏向器に印加する偏向電圧値を関連付けて記憶するテーブル記憶回路を更に備え、
前記焦点サイズ制御回路は、前記管電圧の管電圧値に関連付けられた偏向電圧値を前記偏向器に印加する、
請求項１記載のＸ線コンピュータ断層撮影装置。
【請求項３】
時系列で変化する管電圧の設定値を入力し、前記入力された設定値に基づいて前記陰極と前記陽極との間に印加する管電圧を変調する管電圧制御回路を更に備え、
前記焦点サイズ制御回路は、前記入力された設定値に関連付けられた偏向電圧値の電圧を前記偏向器に印加する、
請求項２記載のＸ線コンピュータ断層撮影装置。
【請求項４】
前記陰極と前記陽極との間に印加された、前記管電圧を検出する検出器を更に備え、
前記焦点サイズ制御回路は、前記検出された管電圧の検出値に関連付けられた偏向電圧値の電圧を前記偏向器に印加する、
請求項２記載のＸ線コンピュータ断層撮影装置。
【請求項５】
前記Ｘ線管に流れる管電流を制御する管電流制御回路を更に備え、
前記テーブル記憶回路は、前記複数の管電圧値と複数の管電流値との組合せ毎に、前記偏向器に印加する偏向電圧値を関連付けて記憶し、
前記焦点サイズ制御回路は、前記管電圧の管電圧値と前記Ｘ線管に流れる管電流の管電流値との組合せに関連付けられた偏向電圧値に基づいて、前記陽極に形成される焦点のサイズを制御する、
請求項２記載のＸ線コンピュータ断層撮影装置。
【請求項６】
前記テーブル記憶回路は、前記複数の管電圧値に、前記所定のサイズとして同一のサイズの焦点を形成するための偏向電圧値を関連付けて記憶する、請求項２記載のＸ線コンピュータ断層撮影装置。
【請求項７】
前記焦点サイズ制御回路は、前記管電圧の管電圧値に関連付けられた偏向電圧値に基づいて前記陽極に形成される焦点のサイズを制御するために、前記管電圧の管電圧値に関連付けられた偏向電圧値の電圧を前記偏向器に印加する、請求項２記載のＸ線コンピュータ断層撮影装置。
【請求項８】
前記偏向器は、前記陰極からの電子を偏向するための電場を発生する電極又は磁場を発生するコイルを有する、請求項１記載のＸ線コンピュータ断層撮影装置。
【請求項９】
前記陰極と前記陽極との間に印加する管電圧を変調する管電圧制御回路と、
前記偏向器に印加する偏向電圧を発生する偏向電圧発生回路と、を更に備え、
前記管電圧制御回路は、前記管電圧値に基づいて前記高電圧電源を制御し、
前記焦点サイズ制御回路は、前記偏向電圧値に基づいて前記偏向電圧発生回路を制御し、
前記偏向電圧発生回路は、前記高電圧電源とは独立の電気系統にて前記偏向電圧を発生する、
請求項１記載のＸ線コンピュータ断層撮影装置。
【請求項１０】
前記陰極と前記陽極との間に印加する管電圧を変調する管電圧制御回路を更に備え、
前記焦点サイズ制御回路は、前記管電圧制御回路により前記管電圧が変調されている期間において前記陽極に前記所定のサイズの焦点を形成するために、前記変調された管電圧の管電圧値と前記所定のサイズとに基づく偏向電圧値の偏向電圧を前記偏向器に印加する、
請求項１記載のＸ線コンピュータ断層撮影装置。
【発明の詳細な説明】
【技術分野】
【０００１】
本発明の実施形態は、Ｘ線コンピュータ断層撮影装置に関する。
【背景技術】
【０００２】
Ｘ線コンピュータ断層撮影装置において被曝量低減のために管電圧変調が求められている。単純に管電圧が変調されると、管電圧による管電流のエミッション特性が変わるため、管電流値及び焦点サイズが変わってしまう。
【０００３】
この問題を解決する方法として、例えば、特許文献１は、管電圧を分圧してフォーカス電圧を生成し、生成されたフォーカス電圧により焦点サイズを変調している。フォーカス電極が接地電位を保持し、管電圧とフォーカス電圧とが比例関係にあるから、管電圧に脈動が生じても焦点サイズを安定に保つことができる。
【０００４】
しかしながら、管電圧変調のように管電圧値が大きく変動すると、管電圧とフォーカス電圧との比例関係が崩れてしまう。そのため、特許文献１の技術では、管電圧変調を行いながら焦点サイズを任意に制御することは困難である。
【先行技術文献】
【特許文献】
【０００５】
【特許文献１】特開２００３−１６３０９８号公報
【特許文献２】特表平１１−５０２３５７号公報
【特許文献３】特開２００３−３３２０９８号公報
【発明の概要】
【発明が解決しようとする課題】
【０００６】
発明が解決しようとする課題は、焦点サイズを任意に制御することである。
【課題を解決するための手段】
【０００７】
実施形態に係るＸ線コンピュータ断層撮影装置は、Ｘ線管、高電圧電源及び焦点サイズ制御回路を有する。Ｘ線管は、電子を放出する陰極と、前記陰極からの電子を受けてＸ線を発生する陽極と、前記陰極からの電子を偏向する偏向器とを有する。高電圧電源路は、前記陰極と前記陽極との間に印加される管電圧を発生する。焦点サイズ制御回路は、前記高電圧電源により管電圧が印加されている期間において前記陽極に所定のサイズの焦点を形成するために、前記管電圧の管電圧値と前記所定のサイズとに基づく偏向電圧値の偏向電圧を前記偏向器に印加することにより、前記陽極に形成される焦点のサイズを制御する。
【図面の簡単な説明】
【０００８】
【図１】図１は、本実施形態に係るＸ線コンピュータ断層撮影装置の構成を示す図である。
【図２】図２は、本実施形態に係るＸ線管とＸ線高電圧装置とから構成されるＸ線発生系の構成を示す図である。
【図３】図３は、図２のＸ線管の内部の構成を示す図である。
【図４】図４は、図２のテーブル記憶回路に記憶されるＸ線管特性値テーブルの一例を示す図である。
【図５】図５は、本実施形態に係る管電圧変調における管電圧設定値のグラフを示す図である。
【図６】図６は、本実施形態に係る管電圧変調に伴う焦点サイズと偏向電圧とのグラフを示す図である。
【発明を実施するための形態】
【０００９】
以下、図面を参照しながら本実施形態に係わるＸ線コンピュータ断層撮影装置を説明する。
【００１０】
図１は、本実施形態に係るＸ線コンピュータ断層撮影装置の構成を示す図である。図１に示すように、本実施形態に係るＸ線コンピュータ断層撮影装置は、架台１０とコンソール１００とを有する。例えば、架台１０はＣＴ検査室に設置され、コンソール１００はＣＴ検査室に隣接する制御室に設置される。架台１０とコンソール１００とは互いに通信可能に接続されている。架台１０は、被検体ＰをＸ線でＣＴ撮影するための撮影機構を搭載する。コンソール１００は、架台１０を制御するコンピュータである。
【００１１】
図１に示すように、架台１０は、開口が形成された略円筒形状の回転フレーム１１を有する。回転フレーム１１は、回転部とも呼ばれている。図１に示すように、回転フレーム１１には、開口を挟んで対向するように配置されたＸ線管１３とＸ線検出器１５とが取付けられている。回転フレーム１１は、アルミ等の金属により円環形状に形成された金属枠である。後述するが、架台１０は、アルミ等の金属により形成されたメインフレームを有する。メインフレームは、固定部とも呼ばれている。回転フレーム１１は、当該メインフレームにより回転可能に支持されている。
【００１２】
Ｘ線管１３は、Ｘ線を発生する。Ｘ線管１３は、熱電子を発生する陰極、陰極から飛翔する熱電子を受けてＸ線を発生する陽極を保持する真空管である。Ｘ線管１３は、高圧ケーブルを介してＸ線高電圧装置１７に接続されている。
【００１３】
Ｘ線高電圧装置１７は、変圧式Ｘ線高電圧装置、定電圧型Ｘ線高電圧装置、コンデンサ式Ｘ線高電圧装置、インバータ式Ｘ線高電圧装置等の如何なる形式にも適用可能である。Ｘ線高電圧装置１７は、例えば、回転フレーム１１に取付けられている。Ｘ線高電圧装置１７は、架台制御回路２９による制御に従いＸ線管１３に印加される管電圧、管電流及びＸ線の焦点サイズを調節する。本実施形態に係るＸ線高電圧装置１７は、Ｘ線管１３のＸ線焦点を任意のサイズに調整する。Ｘ線高電圧装置１７は、Ｘ線照射中、管電圧を変調させる管電圧変調を行う。管電圧変調をしている期間において、Ｘ線高電圧装置１７は、Ｘ線管１３のＸ線焦点を任意のサイズに調整することができる。Ｘ線管１３とＸ線高電圧装置１７との詳細については後述する。
【００１４】
図１に示すように、回転フレーム１１は、回転駆動装置２１からの動力を受けて中心軸Ｚ回りに一定の角速度で回転する。回転駆動装置２１としてダイレクトドライブモータやサーボモータ等の任意のモータが用いられる。回転駆動装置２１は、例えば、架台１０に収容されている。回転駆動装置２１は、架台制御回路２９からの駆動信号を受けて回転フレーム１１を回転させるための動力を発生する。
【００１５】
回転フレーム１１の開口にはＦＯＶが設定される。回転フレーム１１の開口内には寝台２３に支持された天板が挿入される。天板には被検体Ｐが載置される。寝台２３は、天板を移動自在に支持する。寝台２３には寝台駆動装置２５が収容されている。寝台駆動装置２５は、架台制御回路２９からの駆動信号を受けて天板を前後、昇降及び左右に移動させるための動力を発生する。寝台２３は、被検体Ｐの撮影部位がＦＯＶ内に含まれるように天板を位置決めする。
【００１６】
Ｘ線検出器１５は、Ｘ線管１３から発生されたＸ線を検出する。具体的には、Ｘ線検出器１５は、２次元湾曲面上に配列された複数の検出素子を有している。各検出素子は、シンチレータと光電変換素子とを有する。シンチレータは、Ｘ線を光子に変換する物質により形成される。シンチレータは、入射Ｘ線を、当該入射Ｘ線の強度に応じた個数の光子に変換する。光電変換素子は、シンチレータから受けた光子を増幅して電気信号に変換する回路素子である。光電変換素子としては、例えば、光電子増倍管やフォトダイオード等が用いられる。なお、検出素子は、上記の通りＸ線を光子に変換してから検出する間接変換型でも良いし、Ｘ線を直接的に電気信号に変換する直接変換型であっても良い。
【００１７】
Ｘ線検出器１５にはデータ収集回路１９が接続されている。データ収集回路１９は、架台制御回路２９からの指示に従い、Ｘ線検出器１５により検出されたＸ線の強度に応じた電気信号をＸ線検出器１５から読み出し、読み出した電気信号を、ビュー期間に亘るＸ線の線量に応じたデジタル値を有する生データを収集するデータ収集回路１９は、例えば、生データを生成可能な回路素子を搭載したＡＳＩＣ（Application Specific Integrated Circuit）により実現される。
【００１８】
図１に示すように、架台制御回路２９は、コンソール１００の演算回路１０１からの撮影条件に従いＸ線ＣＴ撮影を実行するために、Ｘ線高電圧装置１７、データ収集回路１９、回転駆動装置２１及び寝台駆動装置２５を同期的に制御する。ハードウェア資源として、架台制御回路２９は、ＣＰＵ（Central Processing Unit）やＭＰＵ（Micro Processing Unit）等の処理装置（プロセッサ）とＲＯＭ（Read Only Memory）やＲＡＭ（Random Access Memory）等の記憶装置（メモリ）とを有する。また、架台制御回路２９は、ＡＳＩＣやフィールド・プログラマブル・ゲート・アレイ（Field Programmable Gate Array：ＦＰＧＡ）、他の複合プログラマブル論理デバイス（Complex Programmable Logic Device：ＣＰＬＤ）、単純プログラマブル論理デバイス（Simple Programmable Logic Device：ＳＰＬＤ）により実現されても良い。
【００１９】
図１に示すように、コンソール１００は、演算回路１０１、ディスプレイ１０３、入力インタフェース１０５及びメモリ１０７を有する。演算回路１０１、ディスプレイ１０３、入力インタフェース１０５及びメモリ１０７間のデータ通信は、バス（bus）を介して行われる。
【００２０】
演算回路１０１は、ハードウェア資源として、ＣＰＵあるいはＭＰＵ、ＧＰＵ（Graphics Processing Unit）等のプロセッサを有する。演算回路１０１は、各種プログラムの実行により前処理機能１１１、再構成機能１１３、画像処理機能１１５及びシステム制御機能１１７を実現する。なお、前処理機能１１１、再構成機能１１３、画像処理機能１１５及びシステム制御機能１１７は、一の基板の演算回路１０１により実装されても良いし、複数の基板の演算回路１０１により分散して実装されても良い。
【００２１】
前処理機能１１１において演算回路１０１は、架台１０から伝送された生データに対数変換等の前処理を施す。前処理後の生データは、投影データとも呼ばれる。
【００２２】
再構成機能１１３において演算回路１０１は、前処理後の生データに基づいて被検体Ｐに関するＣＴ値の空間分布を表現するＣＴ画像を発生する。画像再構成アルゴリズムとしては、ＦＢＰ（filtered back projection）法や逐次近似再構成法等の既存の画像再構成アルゴリズムが用いられれば良い。
【００２３】
画像処理機能１１５において演算回路１０１は、再構成機能１１３により再構成されたＣＴ画像に種々の画像処理を施す。例えば、演算回路１０１は、当該ＣＴ画像にボリュームレンダリングや、サーフェスボリュームレンダリング、画像値投影処理、ＭＰＲ（Multi-Planer Reconstruction）処理、ＣＰＲ（Curved MPR）処理等の３次元画像処理を施して表示画像を生成する。
【００２４】
システム制御機能１１７において演算回路１０１は、本実施形態に係るＸ線コンピュータ断層撮影装置の統括的に制御する。具体的には、演算回路１０１は、記憶回路１０７に記憶されている制御プログラムを読み出してメモリ上に展開し、展開された制御プログラムに従ってＸ線コンピュータ断層撮影装置の各部を制御する。
【００２５】
ディスプレイ１０３は、ＣＴ画像等の種々のデータを表示する。ディスプレイ１０３としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００２６】
入力インタフェース１０５は、ユーザからの各種指令を入力する。具体的には、入力インタフェース１０５は、入力機器を有する。入力機器は、ユーザからの各種指令を受け付ける。入力機器としては、キーボードやマウス、各種スイッチ等が利用可能である。入力インタフェース１０５は、入力機器からの出力信号をバスを介して演算回路１０１に供給する。
【００２７】
メモリ１０７は、種々の情報を記憶するＲＡＭやＲＯＭ、ＨＤＤ、ＳＳＤ、集積回路記憶装置等の記憶装置である。また、メモリ１０７は、ＣＤ−ＲＯＭドライブやＤＶＤドライブ、フラッシュメモリ等の可搬性記憶媒体との間で種々の情報を読み書きする駆動装置等であっても良い。例えば、メモリ１０７は、本実施形態に係るＣＴ撮影に関する制御プログラム等を記憶する。
【００２８】
次に、本実施形態に係るＸ線管１３とＸ線高電圧装置１７とから構成されるＸ線発生系について説明する。図２は、本実施形態に係るＸ線管１３とＸ線高電圧装置１７とから構成されるＸ線発生系の構成を示す図である。図２に示すＸ線管１３は、陽極接地型である。本実施形態に係るＸ線管１３は、陽極接地型に限定されず、中性点接地型等の如何なる型にも適用可能である。図３は、Ｘ線管１３の内部の構成を示す図である。
【００２９】
図２及び図３に示すように、Ｘ線管１３は、陰極１３１、陽極１３３、グリッド電極１３５及び偏向器１３７を収容している。陰極１３１は、例えば、細線形状を有するタングステンやニッケル等の金属により形成されるフィラメントを有する。陰極１３１は、ケーブル等を介してＸ線高電圧装置１７に接続されている。陰極１３１は、Ｘ線高電圧装置１７からの陰極電圧の印加及びフィラメント電流の供給を受けて発熱し熱電子を放出する。
【００３０】
陽極１３３は、タングステンやモリブデン等の重金属により形成された円盤形状を有する電極である。陽極１３３は、図示しない回転子の軸回りの回転に伴い回転する。陰極１３１と陽極１３３との間には、Ｘ線高電圧装置１７により高電圧の管電圧が印加される。陰極１３１から放出された熱電子は、管電圧の作用により、陽極１３３に衝突する。陽極１３３は、熱電子を受けてＸ線を発生する。陽極１３３上の熱電子が衝突する範囲は実焦点と呼ばれ、Ｘ線検出器側からの見かけの実焦点は実効焦点と呼ばれている。なお、実焦点と実効焦点とを特に区別しない場合、単に焦点と呼ぶことにする。
【００３１】
グリッド電極１３５は、陰極１３１と陽極１３３との間に配置される。グリッド電極１３５には、Ｘ線高電圧装置１７により、陰極電位に対するグリッド電圧が印加される。グリッド電圧の印加により陰極１３１から陽極１３３へ飛翔する熱電子の量が調整される。これにより管電流値が任意の値に制御される。
【００３２】
偏向器１３７は、グリッド電極１３５と陽極１３３との間に配置される。偏向器１３７は電極又はコイルにより実現される。偏向器１３７には、Ｘ線高電圧装置１７により偏向電圧が印加される。偏向器１３７が電極の場合、偏向電圧の印加を受けて偏向器１３７は、熱電子の飛翔経路に偏向電場を印加する。偏向器１３７がコイルの場合、偏向電圧の印加を受けて偏向器１３７は、熱電子の飛翔経路に偏向磁場を印加する。偏向電場又は偏向磁場の印加を受けて、陰極１３１から陽極１３３へ飛翔する熱電子の軌道が偏向する。これにより焦点のサイズを調節する。焦点のサイズは、Ｘ線検出器１５の列方向に関する実効焦点の幅（縦幅）とチャンネル方向に関する実効焦点の幅（横幅）との組合せにより規定される。
【００３３】
なお、図２に示すＸ線管１３は、陰極１３１から順番にグリッド電極１３５、偏向器１３７及び陽極１３３が配置されるとしている。しかしながら、本実施形態はこれに限定されない。例えば、陰極１３１から偏向器１３７、グリッド電極１３５及び陽極１３３の順番に配置されても良い。
【００３４】
図２に示すように、Ｘ線高電圧装置１７は、高電圧電源３１、フィラメント電源３３、グリッド電圧発生回路３５、偏向電圧発生回路３７、管電圧検出回路３９、管電流検出回路４１、管電圧比較回路４３、管電圧制御回路４５、管電流比較回路４７、グリッド電圧制御回路４９、フィラメント制御回路５１、焦点サイズ制御回路５３及びテーブル記憶回路５５を有する。
【００３５】
高電圧電源３１は、管電圧制御回路４５による制御に従い、Ｘ線管１３に印加される管電圧を発生する。例えば、インバータ式Ｘ線高電圧装置の場合、高電圧電源３１は、商用電源からの交流電圧を直流電圧に変換するＡＣ／ＤＣコンバータと、ＡＣ／ＤＣコンバータの直流電圧を交流電圧に変換するインバータと、インバータからの交流電圧を昇圧する変圧器と、変圧器により昇圧された交流電圧を整流及び平滑して直流高電圧を発生する高圧整流平滑回路とを有する。高圧整流平滑回路からの直流高電圧は管電圧としてＸ線管１３の陰極１３１と陽極１３３との間に印加される。
【００３６】
フィラメント電源３３は、フィラメント制御回路５１による制御に従い、陰極１３１のフィラメントを加熱するためのフィラメント電流を発生する。
【００３７】
グリッド電圧発生回路３５は、グリッド電圧制御回路４９による制御に従い、Ｘ線管１３の陰極１３１とグリッド電極１３５との間にグリッド電圧を印加する。典型的には、陰極１３１の陰極電位に対しグリッド電圧が印加される。グリッド電圧発生回路３５は、高電圧電源３１により発生された電圧を降圧する降圧回路により実現されても良いし、高電圧電源３１とは独立の電源系統により実現されても良い。
【００３８】
偏向電圧発生回路３７は、焦点サイズ制御回路５３による制御に従い、Ｘ線管１３の偏向器１３７に偏向電圧を印加する。偏向電圧発生回路３７は、高電圧電源３１とは独立の電源系統により実現される。例えば、偏向電圧発生回路３７は、商用電源からの交流電圧を直流電圧に変換するＡＣ／ＤＣコンバータと、ＡＣ／ＤＣコンバータの直流電圧を交流電圧に変換するインバータと、インバータからの交流電圧を降圧する変圧器と、変圧器により降圧された交流電圧を整流及び平滑して直流電圧を発生する整流平滑回路とを有する。整流平滑回路からの直流電圧は偏向電圧として偏向器１３７に印加される。
【００３９】
管電圧検出回路３９は、高電圧電源３１とＸ線管１３との間に接続される。管電圧検出回路３９は、陰極１３１と陽極１３３との間に印加された電圧を管電圧として検出する。検出された管電圧値（以下、管電圧検出値と呼ぶ）の信号（以下、管電圧検出信号と呼ぶ）は、管電圧比較回路４３と焦点サイズ制御回路５３とに供給される。
【００４０】
管電流検出回路４１は、高電圧電源３１とＸ線管１３との間に接続される。管電流検出回路４１は、陰極１３１から陽極１３３に熱電子が流れることに起因して流れた電流を管電流として検出する。検出された管電流値（以下、管電流検出値と呼ぶ）の信号（以下、管電流検出信号と呼ぶ）は、管電流比較回路４７と焦点サイズ制御回路５３とに供給される。
【００４１】
管電圧比較回路４３は、架台制御回路２９からの管電圧の設定値（以下、管電圧設定値と呼ぶ）を示す信号（以下、管電圧設定信号と呼ぶ）と管電圧検出回路３９からの管電圧検出信号とを入力する。管電圧比較回路４３は、管電圧設定信号から管電圧検出信号を減じることにより、管電圧設定値と管電圧検出値との差分値を示す信号（以下、差分電圧信号と呼ぶ）を生成する。差分電圧信号は、管電圧制御回路４５に供給される。
【００４２】
管電圧制御回路４５は、管電圧検出値と管電圧設定値との比較、すなわち、差分電圧信号に基づいて高電圧電源３１を制御する。より詳細には、管電圧制御回路４５は、管電圧検出値が管電圧設定値に収束するように高電圧電源３１をフィードバック制御する。
【００４３】
管電流比較回路４７は、架台制御回路２９からの管電流の設定値（以下、管電流設定値と呼ぶ）を示す信号（以下、管電流設定信号と呼ぶ）と管電流検出回路４１からの管電流検出信号とを入力する。管電流比較回路４７は、管電流設定信号から管電流検出信号を減じることにより、管電流設定値と管電流検出値との差分値を示す信号（以下、差分電流信号と呼ぶ）を生成する。差分電流信号は、グリッド電圧制御回路４９に供給される。
【００４４】
グリッド電圧制御回路４９は、管電流検出値と管電流設定値との比較、すなわち、差分電流信号に基づいてグリッド電圧発生回路３５を制御する。より詳細には、グリッド電圧制御回路４９は、管電流検出値が管電流設定値に収束するようにグリッド電圧発生回路３５をフィードバック制御する。
【００４５】
フィラメント制御回路５１は、架台制御回路２９からの、管電圧設定信号と管電流設定信号と焦点サイズ情報とに基づいてフィラメント電流の設定値を示す信号（以下、フィラメント電流設定信号と呼ぶ）を生成し、フィラメント電流設定信号に従いフィラメント電源３３を制御する。管電流は、例えば、フィラメント制御回路５１によるフィラメント電流の制御により制御される。管電圧変調を行う場合、管電流は、フィラメント制御回路５１によるフィラメント電流の制御とグリッド電圧制御回路４９によるグリッド電圧の制御とにより制御されると良い。フィラメント電流の制御のみでは管電流を変調管電圧に追従できないため、グリッド電圧の制御により当該追従遅れが補われる。
【００４６】
焦点サイズ情報は、入力インタフェース１０５等により選択された所望の焦点サイズを示す情報である。焦点サイズ情報は、架台制御回路２９から供給される。
【００４７】
焦点サイズ制御回路５２は、高電圧電源３１により陰極１３１と陽極１３３との間に管電圧が印加されている期間において陽極１３３に所定のサイズの焦点を形成するために、管電圧の管電圧値と当該所定のサイズとに基づく偏向電圧値の偏向電圧を偏向器１３７に印加することにより、陽極１３３に形成される焦点のサイズを制御する。例えば、焦点サイズ制御回路５３は、管電圧が変調されている期間において、陽極１３３に所定のサイズの焦点を形成するために、管電圧の管電圧値にテーブル記憶回路５５において関連付けられた偏向電圧値に基づいて、陽極１３３に形成される焦点のサイズを制御する。具体的には、焦点サイズ制御回路５３は、管電圧検出信号、管電流検出信号、管電圧設定値及び管電流設定値を入力する。焦点サイズ制御回路５３は、管電圧検出信号が示す管電圧検出値と管電圧設定信号が示す管電圧設定値との少なくとも一方の管電圧値をテーブル記憶回路５５に入力し、当該所定のサイズの焦点を形成するために必要な偏向電圧値を決定する。焦点サイズ制御回路５３は、管電圧値に加え、管電流検出信号が示す管電流検出値と管電流設定信号が示す管電流設定値との少なくとも一方に基づいて偏向電圧値を決定しても良い。焦点サイズ制御回路５３は、決定された偏向電圧値の偏向電圧を偏向器１３７に印加するために偏向電圧発生回路３７を制御する。
【００４８】
テーブル記憶回路５５は、複数の管電圧値毎に、陽極１３３に所定のサイズの焦点を形成するために偏向器１３７に印加する偏向電圧値を関連付けて記憶する。管電流値も考慮して偏向電圧を決定する場合、テーブル記憶回路５５は、複数の管電圧値と複数の管電流値との組合せ毎に偏向電圧値を関連付けて記憶する。以下、偏向電圧値は、管電圧値と管電流値とに基づいて決定するものとする。テーブル記憶回路５５は、管電圧値と管電流値との組合せと偏向電圧値との関係を、複数の焦点サイズ各々について規定したＬＵＴ（Look Up Table）を記憶している。以下、当該ＬＵＴをＸ線管特性値テーブルと呼ぶことにする。
【００４９】
図４は、Ｘ線管特性値テーブルの一例を示す図である。図４に示すように、Ｘ線管特性値テーブルへの入力値と設定焦点サイズ［縦幅ｍｍ×横幅ｍｍ］との組合せ各々について偏向電圧値が関連付けられている。入力値は、入力管電圧値［ｋＶ］と入力管電流値［ｍＡ］との組合せにより規定される。入力管電圧値としては管電圧設定値又は管電圧検出値が入力される。入力管電流値としては管電流設定値又は管電流検出値が入力される。入力管電圧値は、例えば、１ｋＶきざみ、入力管電流値は、例えば、１ｍＡきざみで入力される。設定焦点サイズは、ユーザにより入力インタフェース１０５等を介して設定される。偏向電圧値は、入力管電圧値と入力管電流値との組合せにより規定される負荷がＸ線管１３に加えられている場合において設定焦点サイズを実現するために偏向器１３７に印加すべき偏向電圧値である。例えば、入力管電圧値”Ｖ１”且つ入力管電流値”Ａ１１”がＸ線管１３に加えられている場合において設定焦点サイズ”Ｌ１×Ｗ１”を実現するためには、偏向器１３７に偏向電圧値”ＢＶ１１１”を印加する必要がある。
【００５０】
なお、焦点サイズ制御回路５２は、管電圧の印加下において焦点サイズを任意の選択値に調節可能であれば、管電圧制御回路４５により管電圧が変調されていない管電圧一定期間において焦点サイズを制御しても良いし、管電圧制御回路４５により管電圧が変調されている管電圧変調期間において焦点サイズを制御しても良い。以下、焦点サイズ制御回路５２は、管電圧制御回路４５により管電圧が変調されている期間において陽極１３３に所定のサイズの焦点を形成するために、変調された管電圧の管電圧値と当該所定のサイズとに基づく偏向電圧値の偏向電圧を偏向器１３７に印加することにより、陽極１３３に形成される焦点のサイズを制御するものとする。
【００５１】
次に、管電圧変調における管電流及び焦点サイズの制御に係るＸ線コンピュータ断層撮影装置の動作例について説明する。
【００５２】
図５は、管電圧変調における管電圧設定値のグラフを示す図である。図５のグラフの縦軸は管電圧［ｋＶ］に規定され、横軸は時間［ｓｅｃ］に規定される。図５に示すように、管電圧変調においては上限値Ｖ１と下限値Ｖ９とを交互に繰り返すように管電圧値が周期的に変化する。上限値Ｖ１と下限値Ｖ９とは如何なる値に設定されても良い。
【００５３】
管電圧制御回路４５は、図５に示すように上限値Ｖ１と下限値Ｖ９とを周期的に繰り返すように管電圧値を変化させるために高電圧電源３１を制御する。管電圧変調は、例えば、以下の様に行われる。管電圧比較回路４３は、Ｘ線撮像中、架台制御回路２９から、図５に示すような上限値Ｖ１と下限値Ｖ９とを交互に繰り返す管電圧設定値の波形を入力する。また、管電圧比較回路４３は、管電圧検出回路３９から、管電圧設定値に対する出力である管電圧検出値を即時的に入力する。管電圧比較回路４３は、管電圧変調を行う期間、管電圧設定値と管電圧検出値との差分値（管電圧差分値）を算出し、算出された管電圧差分値を管電圧制御回路４５に繰り返しフィードバックする。管電圧制御回路４５は、管電圧検出値が管電圧設定値に等しくなるような電圧を陰極１３１と陽極１３３との間に印加するように、管電圧差分値に従い高電圧電源３１を制御する。これにより、管電圧設定値に従い管電圧変調を行うことが可能になる。
【００５４】
次に、管電流制御について説明する。管電圧を変調させると、陰極１３１のフィラメントのエミッション特性により、陰極１３１から放出される熱電子の量、すなわち、管電流も変動する。グリッド電圧制御回路４９は、陰極電位に対しグリッド電圧を印加することで、陰極１３１から放出される熱電子量を調節し管電流値を任意に制御する。
【００５５】
具体的には、管電流比較回路４７は、管電圧変調が行われている期間、管電流設定値と管電流検出値との差分値（管電流差分値）を算出し、算出された管電流差分値をグリッド電圧制御回路４９に繰り返しフィードバックする。グリッド電圧制御回路４９は、管電流検出値が管電流設定値に等しくなるように、管電流差分値に応じてグリッド電圧発生回路３５を繰り返し制御する。グリッド電圧発生回路３５は、管電流差分値に応じたグリッド電圧を陰極１３１とグリッド電極１３５との間に繰り返し印加する。このように、グリッド電圧を繰り返し調節することにより管電流検出値を管電流設定値に維持することができる。例えば、管電流設定値が時間変動しない一定値である場合、グリッド電圧制御回路４９は、管電圧変調の間、管電流値を当該一定値に維持することができる。
【００５６】
次に、焦点サイズ制御について説明する。図６は、管電圧変調に伴う焦点寸法と偏向電圧とのグラフを示す図である。焦点寸法は、縦幅と横幅との総称である。焦点寸法は、縦又は横の１方向の寸法である。焦点サイズは、２方向の寸法の組合せである。縦幅と横幅とは焦点サイズ制御回路５３により個別に制御される。焦点寸法の変調に連動して焦点サイズが変調される。
【００５７】
図６のグラフの左縦軸は焦点寸法［縦幅ｍｍ又は横幅ｍｍ］に規定され、右縦軸は偏向電圧［Ｖ］に規定され、横軸は時間［ｓｅｃ］に規定される。図６の左縦軸は、一次元であるので、２次元の焦点サイズを表すことができない。従って簡単のため左縦軸は焦点寸法に規定される。図６の太線と細線は焦点寸法を示し、点線は偏向電圧を示す。図６の太線に示すように、単純に管電圧変調を行った場合、管電圧変調に伴い焦点寸法が変動し、画質が劣化してしまう。本実施形態に係る焦点サイズ制御回路５３は、Ｘ線管特性値テーブルを利用して、図６の細線に示すような、管電圧変調に関わらず一定の焦点寸法が維持されるように偏向電圧発生回路３７を制御する。
【００５８】
焦点サイズ制御方法としては、管電圧検出値及び管電流検出値を利用する方法と、管電圧設定値及び管電流設定値を利用する方法とがある。以下、順番に説明する。
【００５９】
管電圧検出値及び管電流検出値を利用する方法において焦点サイズ制御回路５３は、Ｘ線ＣＴ撮像の開始時において架台制御回路２９から設定焦点サイズを入力する。設定焦点サイズは、時間経過に伴い変化しない一定値であるとする。例えば、図６に示すように、設定焦点サイズは”Ｌ１×Ｗ１”等に設定される。Ｘ線ＣＴ撮像中、管電圧検出回路３９から管電圧検出値が、管電流検出回路４１から管電流検出値が焦点サイズ制御回路５３に繰り返しフィードバックされる。
【００６０】
Ｘ線ＣＴ撮像中、焦点サイズ制御回路５３は、所定時間毎に、設定焦点サイズと管電圧検出値と管電流検出値とを検索キーとしてＸ線管特性値テーブルを検索し、設定焦点サイズと管電圧検出値と管電流検出値との組合せに関連付けられた偏向電圧値を特定する。例えば、図４に示すように、設定焦点サイズ”Ｌ１又はＷ１”、管電圧検出値”Ｖ２”、管電流検出値”Ａ２１”の場合、偏向電圧値”ＢＶ２１１”が特定される。焦点サイズ制御回路５３は、偏向電圧値が特定される毎に、当該特定された偏向電圧値の偏向電圧を偏向器１３７に印加するように偏向電圧発生回路３７を制御する。なお、偏向電圧発生回路３７は高電圧電源３１とは独立の電源系統により偏向電圧を発生するので、焦点サイズ制御回路５３は、管電圧からは独立して偏向電圧を制御することが可能である。従って、Ｘ線管特性値テーブルを利用して決定された偏向電圧値の偏向電圧を偏向器１３７に印加することにより、管電圧を変調する場合においても焦点サイズを設定焦点サイズに維持することが可能になる。
【００６１】
管電圧設定値及び管電流設定値を利用する方法において焦点サイズ制御回路５３は、Ｘ線ＣＴ撮像の開始時において架台制御回路２９から設定焦点サイズを入力する。焦点サイズ制御回路５３は、Ｘ線ＣＴ撮像中、架台制御回路２９から管電圧設定値及び管電流設定値を入力する。管電圧変調に関わる管電圧設定値は、図５に示すように、時間経過に伴い周期的に変化する。管電流設定値及び設定焦点サイズは、時間経過に伴い変化しない一定値であるとする。
【００６２】
Ｘ線ＣＴ撮像中、焦点サイズ制御回路５３は、所定時間毎に、設定焦点サイズと管電圧設定値と管電流設定値とを検索キーとしてＸ線管特性値テーブルを検索し、設定焦点サイズと管電圧設定値と管電流設定値との組合せに関連付けられた偏向電圧値を特定する。焦点サイズ制御回路５３は、偏向電圧値が特定される毎に、当該特定された偏向電圧値の偏向電圧を偏向器１３７に印加するように偏向電圧発生回路３７を制御する。従って、Ｘ線管特性値テーブルを利用して決定された偏向電圧値の偏向電圧を偏向器１３７に印加することにより、管電圧を変調する場合においても焦点サイズを設定焦点サイズに維持することが可能になる。
【００６３】
管電圧検出値及び管電流検出値を利用する方法と管電圧設定値及び管電流設定値を利用する方法とで使用するＸ線管特性値テーブルが異なっても良い。すなわち、入力値が管電圧検出値及び管電流検出値である第１Ｘ線管特性値テーブルと、入力値が管電圧設定値及び管電流設定値である第２Ｘ線管特性値テーブルとが作成され、テーブル記憶回路５５に記憶されると良い。この場合、同一の入力値に対し、第１Ｘ線管特性値テーブルの偏向電圧値と第２Ｘ線管特性値テーブルの偏向電圧値とは異なる値が関連付けられることとなる。応答遅れ等により、管電圧設定値と、当該管電圧の印加に応答して検出された管電圧検出値とが必ずしも一致しないためである。
【００６４】
なお、管電圧設定値及び管電流設定値を利用する場合、設定値に対する管電圧や管電流の応答遅れ分を加味した偏向電圧値が、Ｘ線管特性値テーブルに登録されると良い。
【００６５】
上記実施例において、焦点サイズは管電圧変調時において一定値に保たれるとした。しかしながら、本実施形態はこれに限定されない。すなわち、設定焦点サイズは、時間経過に伴い第１のサイズと第２のサイズとが周期的に繰り返されても良い。この場合においても焦点サイズ制御回路５３は、周期的に繰り返される設定焦点サイズの波形を入力とし、当該設定焦点サイズ、管電圧設定値及び管電流設定値の組合せに基づきＸ線管特性値テーブルを利用して偏向電圧値を決定することができる。これにより、焦点サイズ制御回路５３は、管電圧変調時において焦点サイズを任意値に制御することが可能になる。
【００６６】
焦点サイズ制御回路５３は、管電圧値と管電流値との組合せに基づき設定焦点サイズを実現するように偏向器１３７を制御するものとした。しかしながら、本実施形態はこれに限定されない。例えば、焦点サイズ制御回路５３は、管電圧値又は管電流値に基づき設定焦点サイズを実現するように偏向電圧発生回路３７を制御するものとした。この場合、Ｘ線管特性値テーブルにおいて、設定焦点サイズ各々について管電圧値又は管電流値と偏向電圧値とが関連付けられる。焦点サイズ制御回路５３は、管電圧値又は管電流値と設定焦点サイズとの組合せを検索キーとしてＸ線管特性値テーブルを検索し、当該組合せに関連付けられた偏向電圧値を特定し、特定された偏向電圧値に従い偏向電圧発生回路３７を制御することとなる。これにより、管電圧値及び管電流値の何れか一方に基づき焦点サイズを任意に制御することが可能となる。
【００６７】
上記実施形態において焦点サイズ制御回路５３は、Ｘ線管特性値テーブルを利用して偏向電圧値を決定することとした。しかしながら、本実施形態はこれに限定されない。例えば、焦点サイズ制御回路５３は、入力管電圧値と設定焦点サイズとに対応する偏向電圧値、又は入力管電圧値と入力管電流値との組合せと設定焦点サイズとに対応する偏向電圧値を、所定のアルゴリズムに従い計算しても良いし、機械学習等により決定しても良い。
【００６８】
上記述べた少なくとも１の実施形態によれば、焦点サイズを任意に制御することが可能になる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１０…架台、１１…回転フレーム、１３…Ｘ線管、１５…Ｘ線検出器、１７…Ｘ線高電圧装置、１９…データ収集回路、２１…回転駆動装置、２３…寝台、２５…寝台駆動装置、２９…架台制御回路、３１…高電圧電源、３３…フィラメント電源、３５…グリッド電圧発生回路、３７…偏向電圧発生回路、３９…管電圧検出回路、４１…管電流検出回路、４３…管電圧比較回路、４５…管電圧制御回路、４７…管電流比較回路、４９…グリッド電圧制御回路、５１…フィラメント制御回路、５３…焦点サイズ制御回路、５５…テーブル記憶回路、１００…コンソール、１０１…演算回路、１０３…ディスプレイ、１０５…入力回路、１０７…記憶回路、１１１…前処理機能、１１３…再構成機能、１１５…画像処理機能、１１７…システム制御機能、１３１…陰極、１３３…陽極、１３５…グリッド電極、１３７…偏向器。
【図１】
2018126506.tif 000003
【図２】
2018126506.tif 000004
【図３】
2018126506.tif 000005
【図４】
2018126506.tif 000006
【図５】
2018126506.tif 000007
【図６】
2018126506.tif 000008